(57)【要約】【課題】ユーザ嗜好に応じたサービス情報提供時に、予めサービス情報提供者にユーザ嗜好に応じたサービス情報の登録を不要とし、登録されていないサービス情報の提供及び、ユーザ側でユーザ嗜好の提示が不要なサービスを提供する。【解決手段】本発明は、仲介サーバ装置からコンテンツＩＤ情報に関連付けられたサービス情報群をユーザ端末装置に送信し、ユーザ端末装置は、当該サービス情報とサービスブックマークＤＢに蓄積されているサービス情報群との類似性を評価し、類似するサービス情報をサービスブックマークＤＢから選択し、コンテンツに対して選択したサービス情報を付加して出力し、コンテンツに関連付けられたサービス情報を出力する。【選択図】      図１
2004171137.tif 000002
【特許請求の範囲】
【請求項１】
コンテンツに関連付けられたサービス情報を予め登録し、提供する仲介サーバ装置と、コンテンツの利用者の端末であるユーザ端末装置が接続されるシステム上で、サービス情報をコンテンツ利用者に提供するサービス仲介方法において、
前記仲介サーバ装置において、
サービス情報と、該サービス情報に関連付けられるコンテンツのＩＤ情報を組にしてサービス情報データベースに登録しておき、
前記ユーザ端末装置がコンテンツ毎に一意に付与されるコンテンツＩＤ情報が付与されたコンテンツを受け取ると、該コンテンツから該コンテンツＩＤ情報を読み出して、該コンテンツＩＤ情報を前記仲介サーバ装置に送信することで、該コンテンツＩＤ情報に関連付けられたサービス情報群の取得を要求し、
前記仲介サーバ装置は、前記コンテンツＩＤ情報に関連付けられたサービス情報群を前記ユーザ端末装置に送信し、
前記ユーザ端末装置は、前記サービス情報群を受信し、ユーザから自由にサービス情報が登録されているサービスブックマークデータベースに蓄積されているサービス情報群との類似性を評価し、
類似するサービス情報を前記サービスブックマークデータベースから選択し、
前記コンテンツに対して選択したサービス情報を付加して、コンテンツを出力し、
前記仲介サーバ装置から取得した前記コンテンツＩＤに関連付けられたサービス情報を出力し、
利用者からサービス利用要求の指示が入力された場合には、指示対象のサービス情報で表されるサービスを提供することを特徴とするサービス仲介方法。
【請求項２】
前記ユーザ端末装置において、
前記コンテンツに前記コンテンツＩＤ及びサービス情報を付加する場合に、電子透かし技術による埋め込みを行い、
前記コンテンツからコンテンツＩＤ及び前記サービス情報を読み出す場合に、電子透かし技術における検出を用いる請求項１記載のサービス仲介方法。
【請求項３】
前記電子透か技術による前記コンテンツＩＤ及びサービス情報を付加する、及び、電子透かし技術における検出により、コンテンツからコンテンツＩＤ及び前記サービス情報を読み出すことを、前記ユーザ端末装置に接続される耐タンパな装置で行う請求項２記載のサービス仲介方法。
【請求項４】
前記サービスブックマークデータベースを前記ユーザ端末装置に接続される耐タンパな装置み設け、
前記電子透か技術による前記コンテンツＩＤ及びサービス情報を付加する、及び、電子透かし技術における検出により、コンテンツからコンテンツＩＤ及び前記サービス情報を読み出すこと、及び、前記サービスブックマークデータベース内のサービス情報を前記ユーザ端末装置に提供する処理を、前記耐タンパな装置で行う請求項２記載のサービス仲介方法。
【請求項５】
コンテンツに関連付けられたサービス情報を予め登録し、提供する仲介サーバ装置と、コンテンツの利用者の端末であるユーザ端末装置が接続され、サービス情報をコンテンツ利用者に提供するサービス仲介システムであって、
前記仲介サーバ装置は、
サービス情報と、該サービス情報に関連付けられるコンテンツのＩＤ情報を組にして登録されるサービス情報データベースと、
前記ユーザ端末装置が受け取ったコンテンツに付与されているコンテンツＩＤ情報に関連付けされたサービス情報群の取得要求を受け取ると、該サービス情報群を前記サービス情報データベースから読み出して該ユーザ端末装置に送信するサービス情報送信手段とを、有し、
前記ユーザ端末装置は、
ユーザから自由にサービス情報が登録されているサービスブックマークデータベースと、
コンテンツ毎に一意に付与されるコンテンツＩＤ情報が付与されたコンテンツを受け取ると、該コンテンツから該ＩＤ情報を読み出して、該コンテンツＩＤ情報を前記仲介サーバ装置に送信することで、該コンテンツＩＤ情報に関連付けられたサービス情報群の取得を要求するサービス情報取得要求手段と、
前記仲介サーバ装置から前記サービス情報群を受信すると、前記サービスブックマークデータベースに蓄積されているサービス情報群との類似性を評価し、類似するサービス情報を前記サービスブックマークデータベースから選択するサービス情報選択手段と、
前記コンテンツに対して前記サービス情報選択手段で選択したサービス情報を付加して、コンテンツを出力するコンテンツ出力手段と、
前記仲介サーバ装置から取得した前記コンテンツＩＤに関連付けられたサービス情報を該コンテンツのコンテンツＩＤを付与して出力するサービス情報出力手段と、
利用者からサービス利用要求の指示が入力された場合には、指示対象のサービス情報で表されるサービスを提供するサービス提供手段と、を有することを特徴とするサービス仲介システム。
【請求項６】
前記ユーザ端末装置の前記コンテンツ出力手段及び前記サービス情報出力手段は、
前記コンテンツに前記コンテンツＩＤ及びサービス情報を付加する場合に、電子透かし技術による埋め込みを行う電子透かし埋め込み手段を含み、
前記サービス情報取得要求手段は、
取得した前記コンテンツから該ＩＤ情報を読み出す際に、電子透かし技術による電子透かし検出を行う電子透かし検出手段を含む請求項５記載のサービス仲介システム。
【請求項７】
前記電子透かし埋め込み手段と、前記電子透かし検出手段とを、前記ユーザ端末装置に接続される耐タンパなハードウェアに配置する請求項６記載のサービス仲介システム。
【請求項８】
前記電子透かし埋め込み手段と、
前記電子透かし検出手段と、
ユーザから自由にサービス情報が登録されているサービスブックマークデータベースと、
前記サービスブックマークデータベース内のサービス情報を前記ユーザ端末装置に提供するサービス情報提供手段と、
を前記ユーザ端末装置に接続される耐タンパなハードウェアに配置する請求項６記載のサービス仲介システム。
【請求項９】
コンテンツの利用者の端末であるユーザ端末装置とネットワークを介して接続され、コンテンツに関連付けられたサービス情報を予め登録し、サービス情報をコンテンツ利用者に提供する仲介サーバ装置であって、
サービス情報と、該サービス情報に関連付けられるコンテンツのＩＤ情報を組にして登録されるサービス情報データベースと、
前記ユーザ端末装置が受け取ったコンテンツに付与されているコンテンツＩＤ情報に関連付けされたサービス情報群の取得要求を受け取ると、該サービス情報群を前記サービス情報データベースから読み出して該ユーザ端末装置に送信するサービス情報送信手段とを、有することを特徴とする仲介サーバ装置。
【請求項１０】
コンテンツに関連付けられたサービス情報が予め登録され、サービス情報をコンテンツ利用者に提供する仲介サーバ装置とネットワークを介して接続されるユーザ端末装置であって、
ユーザから自由にサービス情報が登録されているサービスブックマークデータベースと、
コンテンツ毎に一意に付与されるコンテンツＩＤ情報が付与されたコンテンツを受け取ると、該コンテンツから該ＩＤ情報を読み出して、該コンテンツＩＤ情報を前記仲介サーバ装置に送信することで、該コンテンツＩＤ情報に関連付けられたサービス情報群の取得を要求するサービス情報取得要求手段と、
前記仲介サーバ装置から前記サービス情報群を受信すると、前記サービスブックマークデータベースに蓄積されているサービス情報群との類似性を評価し、類似するサービス情報を前記サービスブックマークデータベースから選択するサービス情報選択手段と、
前記コンテンツに対して前記サービス情報選択手段で選択したサービス情報を付加して、コンテンツを出力するコンテンツ出力手段と、
前記仲介サーバ装置から取得した前記コンテンツＩＤに関連付けられたサービス情報を該コンテンツのコンテンツＩＤを付与して出力するサービス情報出力手段と、
利用者からサービス利用要求の指示が入力された場合には、指示対象のサービス情報で表されるサービスを提供するサービス提供手段と、を有することを特徴とするユーザ端末装置。
【請求項１１】
前記ユーザ端末装置の前記コンテンツ出力手段及び前記サービス情報出力手段は、
前記コンテンツに前記コンテンツＩＤ及びサービス情報を付加する場合に、電子透かし技術による埋め込みを行う電子透かし埋め込み手段を含み、
前記サービス情報取得要求手段は、
取得した前記コンテンツから該ＩＤ情報を読み出す際に、電子透かし技術による電子透かし検出を行う電子透かし検出手段を含む請求項１０記載のユーザ端末装置。
【請求項１２】
前記電子透かし埋め込み手段と、前記電子透かし検出手段とを、前記ユーザ端末装置に接続される耐タンパなハードウェアに配置する請求項１１記載のユーザ端末装置。
【請求項１３】
前記電子透かし埋め込み手段と、
前記電子透かし検出手段と、
ユーザから自由にサービス情報が登録されているサービスブックマークデータベースと、
前記サービスブックマークデータベース内のサービス情報を前記ユーザ端末装置に提供するサービス情報提供手段と、
を前記ユーザ端末装置に接続される耐タンパなハードウェアに配置する請求項１１記載のユーザ端末装置。
【請求項１４】
コンテンツの利用者の端末であるユーザ端末装置とネットワークを介して接続され、コンテンツに関連付けられたサービス情報を予め登録し、サービス情報をコンテンツ利用者に提供する仲介サーバ装置が実行するサービス仲介プログラムであって、
前記ユーザ端末装置が受け取ったコンテンツに付与されているコンテンツＩＤ情報に関連付けされたサービス情報群の取得要求を受信する要求受信ステップと、
前記サービス情報群を、サービス情報と、該サービス情報に関連付けられるコンテンツのＩＤ情報を組にして登録されるサービス情報データベースから読み出して該ユーザ端末装置に送信するサービス情報送信ステップとを、実行することを特徴とするサービス仲介プログラム。
【請求項１５】
コンテンツに関連付けられたサービス情報が予め登録され、該コンテンツに関連付けられているサービスに関する情報をコンテンツ利用者に提供する仲介サーバ装置とネットワークを介して接続されるユーザ端末装置が実行するサービス仲介プログラムであって、
コンテンツ毎に一意に付与されるコンテンツＩＤ情報が付与されたコンテンツを受信するコンテンツ受信ステップと、
受信した前記コンテンツから該ＩＤ情報を読み出して、該コンテンツＩＤ情報を前記仲介サーバ装置に送信することで、該コンテンツＩＤ情報に関連付けられたサービス情報群の取得を要求するサービス情報取得要求ステップと、
前記仲介サーバ装置から前記サービス情報群を受信するサービス情報受信ステップと、
ユーザから自由にサービス情報が登録されているサービスブックマークデータベースに蓄積されているサービス情報群との類似性を評価し、類似するサービス情報を前記サービスブックマークデータベースから選択するサービス情報選択ステップと、
前記コンテンツに対して前記サービス情報選択手段で選択したサービス情報を付加して、コンテンツを出力するコンテンツ出力ステップと、
前記仲介サーバ装置から取得した前記コンテンツＩＤに関連付けられたサービス情報を該コンテンツのコンテンツＩＤを付与して出力するサービス情報出力ステップと、
利用者からサービス利用要求の指示が入力された場合には、指示対象のサービス情報で表されるサービスを提供するサービス提供ステップと、を実行することを特徴とするサービス仲介プログラム。
【請求項１６】
前記コンテンツ出力ステップ及び前記サービス情報出力ステップは、
前記コンテンツに前記コンテンツＩＤ及びサービス情報を付加する場合に、電子透かし技術による埋め込みを行う電子透かし埋め込みステップを含み、
前記サービス情報取得要求ステップは、
取得した前記コンテンツから該ＩＤ情報を読み出す際に、電子透かし技術による電子透かし検出を行う電子透かし検出ステップを含む請求項１５記載のサービス仲介プログラム。
【請求項１７】
前記電子透かし埋め込みステップと、前記電子透かし検出ステップとを、前記ユーザ端末装置に接続される耐タンパなハードウェアに実行させ、
前記電子透かし埋め込みステップにより得られた前記サービス情報を前記サービス情報出力ステップの入力とするステップと、
前記コンテンツを前記電子透かし検出ステップの入力とするステップとを実行する請求項１６記載のサービス仲介プログラム。
【請求項１８】
前記電子透かし埋め込みステップと、前記電子透かし検出ステップと、サービスブックマークデータベース内のサービス情報を前記ユーザ端末装置に提供するサービス情報提供ステップと、を前記ユーザ端末装置に接続される耐タンパなハードウェアに実行させ、
前記電子透かし埋め込みステップにより得られた前記サービス情報を前記サービス情報出力ステップの入力とするステップと、
前記コンテンツを前記電子透かし検出ステップの入力とするステップと、
前記サービス情報提供ステップにより出力されるサービス情報を取得して、前記サービス情報出力ステップの入力とするステップを含む請求項１６記載のサービス仲介プログラム。
【発明の詳細な説明】
【０００１】
【発明の属する技術分野】
本発明は、サービス仲介方法及びシステム及び仲介サーバ装置及びユーザ端末装置及びサービス仲介プログラムに係り、特に、コンテンツに付随するサービスの情報を消費者に提示するためのサービス仲介方法及びシステム及び仲介サーバ装置及びユーザ端末装置及びサービス仲介プログラムに関する。
【０００２】
【従来の技術】
画像、映像や音声といったコンテンツの流通の際に、コンテンツデータ自体のみをユーザに提供するのではなく、例えば、ＣＭのような別のサービスの広告情報を付加して提供することで、コンテンツ流通を広告ビジネスとして利用する方法についてはすでに実現されている。
【０００３】
また、コンテンツとサービス情報との結び付けの方法として、コンテンツの編集加工や印刷などのアナログ出力でも結び付けを維持するために、電子透かし情報を用いる方法も提案されている。
【０００４】
情報技術の進歩に伴い、コンテンツの内容にマッチしたサービスを提供するサービス仲介方法も提案されており、提供するサービス情報を、コンテンツの内容だけでなく、ユーザの嗜好などに応じてマッチさせるサービス仲介方法も提案されている（例えば、非特許文献１参照）。
【０００５】
【非特許文献１】
「コンテンツを起点に電子商品取引に誘導するサービス仲介ゲートウェイ」，ＮＴＴ  技術ジャーナル２００２年１０月号、ｐｐ．２４  〜２７．
【０００６】
【発明が解決しようとする課題】
しかしながら、コンテンツの内容にマッチしたサービスを提供するサービスを仲介する方法では、ユーザの嗜好に応じたサービスの仲介を行う際には、
（１）  様々なユーザ嗜好に応じて提供するすべてのサービス情報を予めサービス情報提供者に登録する必要があり；
（２）  提供されるサービス情報は、サービス情報提供者に登録されたもののみであり；
（３）  ユーザ嗜好とマッチさせるためにはユーザ側が自分の嗜好情報を提示する必要がある：
このため、サービス情報提供者側では多くのサービス情報を管理するコストが高く、また、ユーザ側では多様なサービス情報の提供を受けることができず、さらに、自らの嗜好情報を提示するためのプライバシの面で問題がある。
【０００７】
本発明は、上記の点に鑑みなされたもので、ユーザ嗜好に応じたサービス情報提供時に、予めサービス情報提供者側にユーザ嗜好に応じたサービス情報を登録する必要がなく、登録されていないサービス情報も提供でき、さらにサービス情報を受けるユーザ側でユーザ嗜好を提示する必要のないサービス仲介方法及びシステム及び仲介サーバ装置及びユーザ端末装置及びサービス仲介プログラムを提供することを目的とする。
【０００８】
【課題を解決するための手段】
図１は、本発明の原理を説明するための図である。
【０００９】
本発明は、コンテンツに関連付けられたサービス情報を予め登録し、提供する仲介サーバ装置と、コンテンツの利用者の端末であるユーザ端末装置が接続されるシステム上で、サービス情報をコンテンツ利用者に提供するサービス仲介方法において、
仲介サーバ装置において、
サービス情報と、該サービス情報に関連付けられるコンテンツのＩＤ情報を組にしてサービス情報データベースに登録しておき（ステップ１）、
ユーザ端末装置がコンテンツ毎に一意に付与されるコンテンツＩＤ情報が付与されたコンテンツを受け取ると（ステップ２）、該コンテンツから該コンテンツＩＤ情報を読み出して（ステップ３）、該コンテンツＩＤ情報を仲介サーバ装置に送信することで、該コンテンツＩＤ情報に関連付けられたサービス情報群の取得を要求し（ステップ４）、
仲介サーバ装置は、コンテンツＩＤ情報に関連付けられたサービス情報群をユーザ端末装置に送信し（ステップ５）、
ユーザ端末装置は、サービス情報群を受信し、ユーザから自由にサービス情報が登録されているサービスブックマークデータベースに蓄積されているサービス情報群との類似性を評価し（ステップ６）、
類似するサービス情報をサービスブックマークデータベースから選択し（ステップ７）、
コンテンツに対して選択したサービス情報を付加して、コンテンツを出力し（ステップ８）、
仲介サーバ装置から取得したコンテンツＩＤに関連付けられたサービス情報を出力し（ステップ９）、
利用者からサービス利用要求の指示が入力された場合には、指示対象のサービス情報で表されるサービスを提供する（ステップ１０）。
【００１０】
また、本発明は、コンテンツにコンテンツＩＤ及びサービス情報を付加する場合に、電子透かし技術による埋め込みを行い、
コンテンツからコンテンツＩＤ及びサービス情報を読み出す場合に、電子透かし技術における検出を用いる。
【００１１】
また、本発明は、電子透か技術によるコンテンツＩＤ及びサービス情報を付加する、及び、電子透かし技術における検出により、コンテンツからコンテンツＩＤ及びサービス情報を読み出すことを、ユーザ端末装置に接続される耐タンパな装置で行う。
【００１２】
また、本発明は、サービスブックマークデータベースをユーザ端末装置に接続される耐タンパな装置み設け、
電子透か技術によるコンテンツＩＤ及びサービス情報を付加する、及び、電子透かし技術における検出により、コンテンツからコンテンツＩＤ及びサービス情報を読み出すこと、及び、サービスブックマークデータベース内のサービス情報をユーザ端末装置に提供する処理を、耐タンパな装置で行う。
【００１３】
図２は、本発明の原理構成図である。
【００１４】
本発明は、コンテンツに関連付けられたサービス情報を予め登録し、提供する仲介サーバ装置２００と、コンテンツの利用者の端末であるユーザ端末装置１００が接続され、サービス情報をコンテンツ利用者に提供するサービス仲介システムであって、
仲介サーバ装置２００は、
サービス情報と、該サービス情報に関連付けられるコンテンツのＩＤ情報を組にして登録されるサービス情報データベース２１０と、
ユーザ端末装置が受け取ったコンテンツに付与されているコンテンツＩＤ情報に関連付けされたサービス情報群の取得要求を受け取ると、該サービス情報群をサービス情報データベースから読み出して該ユーザ端末装置に送信するサービス情報送信手段２２０とを、有し、
ユーザ端末装置１００は、
ユーザから自由にサービス情報が登録されているサービスブックマークデータベース１３０と、
コンテンツ毎に一意に付与されるコンテンツＩＤ情報が付与されたコンテンツを受け取ると、該コンテンツから該ＩＤ情報を読み出して、該コンテンツＩＤ情報を仲介サーバ装置２００に送信することで、該コンテンツＩＤ情報に関連付けられたサービス情報群の取得を要求するサービス情報取得要求手段１１１と、
仲介サーバ装置２００からサービス情報群を受信すると、サービスブックマークデータベース１３０に蓄積されているサービス情報群との類似性を評価し、類似するサービス情報をサービスブックマークデータベース１３０から選択するサービス情報選択手段１４０と、
コンテンツに対してサービス情報選択手段１４０で選択したサービス情報を付加して、コンテンツを出力するコンテンツ出力手段１５０と、
仲介サーバ装置２００から取得したコンテンツＩＤに関連付けられたサービス情報を該コンテンツのコンテンツＩＤを付与して出力するサービス情報出力手段１６０と、
利用者からサービス利用要求の指示が入力された場合には、指示対象のサービス情報で表されるサービスを提供するサービス提供手段１６０と、を有する。
【００１５】
また、本発明の、ユーザ端末装置１００のコンテンツ出力手段１５０及びサービス情報出力手段１６０は、
コンテンツにコンテンツＩＤ及びサービス情報を付加する場合に、電子透かし技術による埋め込みを行う電子透かし埋め込み手段を含み、
サービス情報取得要求手段１１１は、
取得したコンテンツから該ＩＤ情報を読み出す際に、電子透かし技術による電子透かし検出を行う電子透かし検出手段を含む。
【００１６】
また、本発明の、電子透かし埋め込み手段と、電子透かし検出手段とを、ユーザ端末装置に接続される耐タンパなハードウェアに配置する。
【００１７】
また、本発明の電子透かし埋め込み手段と、電子透かし検出手段と、ユーザから自由にサービス情報が登録されているサービスブックマークデータベースと、サービスブックマークデータベース内のサービス情報をユーザ端末装置に提供するサービス情報提供手段と、をユーザ端末装置１００に接続される耐タンパなハードウェアに配置する。
【００１８】
本発明は、コンテンツの利用者の端末であるユーザ端末装置とネットワークを介して接続され、コンテンツに関連付けられたサービス情報を予め登録し、該サービス情報をコンテンツ利用者に提供する仲介サーバ装置であって、
サービス情報と、該サービス情報に関連付けられるコンテンツのＩＤ情報を組にして登録されるサービス情報データベースと、
ユーザ端末装置が受け取ったコンテンツに付与されているコンテンツＩＤ情報に関連付けされたサービス情報群の取得要求を受け取ると、該サービス情報群をサービス情報データベースから読み出して該ユーザ端末装置に送信するサービス情報送信手段とを、有する。
【００１９】
本発明は、コンテンツに関連付けられたサービス情報が予め登録され、該コンテンツに関連付けられているサービスに関する情報をコンテンツ利用者に提供する仲介サーバ装置とネットワークを介して接続されるユーザ端末装置であって、
ユーザから自由にサービス情報が登録されているサービスブックマークデータベースと、
コンテンツ毎に一意に付与されるコンテンツＩＤ情報が付与されたコンテンツを受け取ると、該コンテンツから該ＩＤ情報を読み出して、該コンテンツＩＤ情報を仲介サーバ装置に送信することで、該コンテンツＩＤ情報に関連付けられたサービス情報群の取得を要求するサービス情報取得要求手段と、
仲介サーバ装置からサービス情報群を受信すると、サービスブックマークデータベースに蓄積されているサービス情報群との類似性を評価し、類似するサービス情報をサービスブックマークデータベースから選択するサービス情報選択手段と、
コンテンツに対してサービス情報選択手段で選択したサービス情報を付加して、コンテンツを出力するコンテンツ出力手段と、
仲介サーバ装置から取得したコンテンツＩＤに関連付けられたサービス情報を該コンテンツのコンテンツＩＤを付与して出力するサービス情報出力手段と、
利用者からサービス利用要求の指示が入力された場合には、指示対象のサービス情報で表されるサービスを提供するサービス提供手段と、を有する。
【００２０】
また、本発明のユーザ端末装置のコンテンツ出力手段及びサービス情報出力手段は、
コンテンツにコンテンツＩＤ及びサービス情報を付加する場合に、電子透かし技術による埋め込みを行う電子透かし埋め込み手段を含み、
サービス情報取得要求手段は、
取得したコンテンツから該ＩＤ情報を読み出す際に、電子透かし技術による電子透かし検出を行う電子透かし検出手段を含む。
【００２１】
また、本発明の電子透かし埋め込み手段と、電子透かし検出手段とを、ユーザ端末装置に接続される耐タンパなハードウェアに配置する。
【００２２】
また、本発明の電子透かし埋め込み手段と、電子透かし検出手段と、ユーザから自由にサービス情報が登録されているサービスブックマークデータベースと、サービスブックマークデータベース内のサービス情報をユーザ端末装置に提供するサービス情報提供手段と、をユーザ端末装置に接続される耐タンパなハードウェアに配置する。
【００２３】
本発明は、コンテンツの利用者の端末であるユーザ端末装置とネットワークを介して接続され、コンテンツに関連付けられたサービス情報を予め登録し、該サービス情報をコンテンツ利用者に提供する仲介サーバ装置が実行するサービス仲介プログラムであって、
ユーザ端末装置が受け取ったコンテンツに付与されているコンテンツＩＤ情報に関連付けされたサービス情報群の取得要求を受信する要求受信ステップと、
サービス情報群を、サービス情報と、該サービス情報に関連付けられるコンテンツのＩＤ情報を組にして登録されるサービス情報データベースから読み出して該ユーザ端末装置に送信するサービス情報送信ステップとを、実行する。
【００２４】
本発明は、コンテンツに関連付けられたサービス情報が予め登録され、該サービス情報をコンテンツ利用者に提供する仲介サーバ装置とネットワークを介して接続されるユーザ端末装置が実行するサービス仲介プログラムであって、
コンテンツ毎に一意に付与されるコンテンツＩＤ情報が付与されたコンテンツを受信するコンテンツ受信ステップと、
受信したコンテンツから該ＩＤ情報を読み出して、該コンテンツＩＤ情報を仲介サーバ装置に送信することで、該コンテンツＩＤ情報に関連付けられたサービス情報群の取得を要求するサービス情報取得要求ステップと、
仲介サーバ装置からサービス情報群を受信するサービス情報受信ステップと、
ユーザから自由にサービス情報が登録されているサービスブックマークデータベースに蓄積されているサービス情報群との類似性を評価し、類似するサービス情報をサービスブックマークデータベースから選択するサービス情報選択ステップと、
コンテンツに対してサービス情報選択手段で選択したサービス情報を付加して、コンテンツを出力するコンテンツ出力ステップと、
仲介サーバ装置から取得したコンテンツＩＤに関連付けられたサービス情報を該コンテンツのコンテンツＩＤを付与して出力するサービス情報出力ステップと、
利用者からサービス利用要求の指示が入力された場合には、指示対象のサービス情報で表されるサービスを提供するサービス提供ステップと、を実行する。
【００２５】
また、本発明のコンテンツ出力ステップ及びサービス情報出力ステップは、
コンテンツにコンテンツＩＤ及びサービス情報を付加する場合に、電子透かし技術による埋め込みを行う電子透かし埋め込みステップを含み、
サービス情報取得要求ステップは、
取得したコンテンツから該ＩＤ情報を読み出す際に、電子透かし技術による電子透かし検出を行う電子透かし検出ステップを含む。
【００２６】
また、本発明は、電子透かし埋め込みステップと、電子透かし検出ステップとを、ユーザ端末装置に接続される耐タンパなハードウェアに実行させ、
電子透かし埋め込みステップにより得られたサービス情報をサービス情報出力ステップの入力とするステップと、
コンテンツを電子透かし検出ステップの入力とするステップとを実行する。
【００２７】
また、本発明は、電子透かし埋め込みステップと、電子透かし検出ステップと、サービスブックマークデータベース内のサービス情報をユーザ端末装置に提供するサービス情報提供ステップと、をユーザ端末装置に接続される耐タンパなハードウェアに実行させ、
電子透かし埋め込みステップにより得られたサービス情報をサービス情報出力ステップの入力とするステップと、
コンテンツを電子透かし検出ステップの入力とするステップと、
サービス情報提供ステップにより出力されるサービス情報を取得して、サービス情報出力ステップの入力とするステップとを含む。
【００２８】
上記ように、本発明によれば、コンテンツには、サービス仲介サーバに登録されている関連サービス情報とユーザ端末内で新たに関連付けされるサービス情報の２種類のサービス情報と関連付けされる。これによって、仲介サーバに登録されていないサービス情報も提供することが可能となる。
【００２９】
また、ユーザ端末内で関連付けされるサービス情報は、当該ユーザ端末内のサービスブックマークＤＢ中のサービス情報から選ばれる。サービスブックマークＤＢの情報は、当該ユーザ端末を用いる利用者の嗜好を反映したものであるから、ユーザ端末装置内で関連付けされるサービス情報は、当該ユーザ端末の利用者の嗜好を反映したものとなる。そして新たにサービス情報が関連付けされたコンテンツが利用者間で転々と流通すると、流通経路（過去にどういった利用者の手に渡ったか）に依存して関連付けされるサービス情報が異なってくる。同じような嗜好を持つ利用者コミュニティで流通するコンテンツには、そのコミュニティの利用者の嗜好を反映したサービス情報が関連付けされる。
【００３０】
さらに、コンテンツへのサービス情報の付加の方法として、電子透かし技術を用いることで、コンテンツのフォーマット変換、編集加工、印刷出力などのアナログ出力を施された場合でも、コンテンツから関連サービス情報を取得することができる。この場合、電子透かし埋め込み機能と検出機能を耐タンパな装置内に実装することで、システムのセキュリティ（関連付けされたサービス情報の削除、改竄など）を実現することができる。
【００３１】
【発明の実施の形態】
以下、図面と共に本発明の実施の形態を説明する。
【００３２】
［第１の実施の形態］
図３は、本発明の第１の実施の形態におけるサービス仲介システムの構成を示す。
【００３３】
同図に示すサービス仲介システムは、ネットワーク上に接続されたユーザ端末装置１００、仲介サーバ装置２００、及びサービス提供装置３００から構成される。
【００３４】
仲介サーバ装置２００は、サービス提供装置３００から取得したコンテンツに関連付けられたサービス情報が予め登録されているサービス情報ＤＢ２１０を有する。
【００３５】
ユーザ端末装置１００には、耐タンパな装置であるＩＣカード装置１０が接続されている。
【００３６】
ユーザ端末装置１００は、サービス利用部１１０、コンテンツ再生部１２０、サービスブックマークＤＢ１３０及び追加情報選定部１４０を有する。
【００３７】
ＩＣカード装置１０は、電子透かし検出処理部１１及び電子透かし埋め込み処理部１２を有する。
【００３８】
次に、上記の構成におけるサービス仲介システムの処理の流れを説明する。
【００３９】
図４は、本発明の第１の実施の形態におけるサービス仲介システムの処理のシーケンスチャートである。
【００４０】
ステップ１０１）  サービス提供装置３００は、仲介サーバ装置２００に対し、サービス情報の登録を依頼する。依頼を受け付けた仲介サーバ装置２００は、サービス情報と関連付けるコンテンツのＩＤを決定し、サービス情報ＤＢ２１０に登録する。サービス情報とは、図５に示すように、サービスを識別するためのサービスＩＤ、サービス名、サービス内容、サービス提供者名、料金、サービスロケーション情報などサービスのメタ情報である。
【００４１】
ステップ１０２）  ユーザ端末装置１００がコンテンツを取得する。例えば、ＷＷＷ（Ｗｏｒｌｄ  Ｗｉｄｅ  Ｗｅｂ）  でダウンロードしたり、ストリーミング配信を受信したり、知人から電子メールで送付して貰ったりすることなどでコンテンツの取得を行う。コンテンツには、コンテンツを一意に識別するコンテンツＩＤが付与されており、本実施の形態では、コンテンツデータに電子透かし技術を用いてコンテンツＩＤが埋め込まれている場合を説明する。埋め込み作業は、例えば、特開２０００−３２２４３１「コンテンツＩＤ付与システム」に記載されているシステムなどによりコンテンツ流通前に行われるものとする。
【００４２】
ステップ１０３）  コンテンツを取得したユーザ端末装置１００は、コンテンツをＩＣカード装置１０に送り、電子透かしの検出を要求する。ＩＣカード装置１０は耐タンパな装置であり、内部の状態や保持記憶内容については外部から知ることができない。
【００４３】
ステップ１０４）  コンテンツを受け取ったＩＣカード装置１０は、図６に示すように、内部にある電子透かし検出処理部１１においてコンテンツ内に埋め込まれている電子透かしの情報を検出する。読み取った電子透かし情報としては、コンテンツＩＤと任意個のサービス情報からなる追加サービス情報群があり得る。
【００４４】
ステップ１０５）  ＩＣカード装置１０は、読み取ったコンテンツＩＤ及び追加サービス情報群を、ユーザ端末装置１００に返答する。
【００４５】
ステップ１０６）  コンテンツＩＤ及び追加サービス情報群を取得したユーザ端末装置１００は、利用者からの明示的あるいは、非明示的な関連サービス情報取得要求に従い、図７のように、ユーザ端末装置１００内のサービス利用部１１０において、コンテンツＩＤを仲介サーバ装置２００に送り、当該コンテンツＩＤに関連付けられたサービス情報の提供を要求する。
【００４６】
ステップ１０７）  ユーザ端末装置１００からの関連サービス情報提供要求を受け付けた仲介サーバ装置２００は、図８のように、入力されたコンテンツＩＤと関連付けられているサービス情報を、仲介サーバ装置２００内のサービス情報ＤＢ２１０内から検索し、サービス情報群としてユーザ端末装置１００に返答する。
【００４７】
ステップ１０８）  仲介サーバ装置２００からサービス情報群を受け取ったユーザ端末装置１００は、ユーザ端末装置１００内のサービス利用部１１０において、図９のように、サービス情報群を保持し、さらに、サービス情報群をユーザ端末装置１００内の追加情報選定部１４０に送る。
【００４８】
ステップ１０９）  サービス情報群を受け取ったユーザ端末装置１００内の追加情報選定部１４０では、図１０に示すように、サービス情報群の要素であるサービス情報について、ユーザ端末装置１００内のサービスブックマークＤＢ１３０内のサービス情報の中で、カテゴリが一致、あるいは、近いと評価できるサービス情報を検索する。ここで、カテゴリとは、サービス情報の意味種別であり、例えば、サービス情報の中のサービス内容の値を元に形成される情報であり、目的に応じた評価関数を用いて決定される。図１１に示す例では、サービス内容の値「ゴルフプレイ」と「ゴルフクラブ販売」は、部分文字列が一致するためカテゴリが近い、と評価できる。追加情報選定部１４０では、このようなカテゴリ検索作業を、入力のサービスの情報群の要素である個々のサービス情報について行い、検索によって出力されたサービス情報群を、必要があれば一つなど少数に絞り込んで出力する。この際に、出力のサービス情報のサービスＩＤと、入力のサービス情報群の各サービスＩＤに一致するものがあれば、それを省くなどの処理を行ってもよい。また、サービスブックマーク中のどのサービス情報を選択するかという処理を、上記のように自動化せず、利用者によって直接の指定で行ってもよい。
【００４９】
なお、サービスブックマークＤＢ１３０とは、本実施の形態にシステムとは別系統のシステム、例えば、ＷＷＷブラウザなどによるブラウジング時に、ユーザが「お気に入り」としてユーザ端末装置１００内に登録したサービス情報を蓄えるＤＢである。
【００５０】
ステップ１１０）  ユーザ端末装置１００は、追加情報選定部１４０で選定されたサービスをＩＣカード装置１０に送り、電子透かしの埋め込み要求を行う。
ステップ１１１）  電子透かしの埋め込み要求を受けたＩＣカード装置１０は、図１２のように、上記のステップ１０３で取得したコンテンツデータに対し、埋め込み要求時に受け取ったサービス情報を電子透かし技術を用いて埋め込む。この際、サービス情報全体を埋め込むのではなく、サービスＩＤのみを埋め込むようにしてもよい。
【００５１】
ステップ１１２）  ＩＣカード装置１０内の電子透かし埋め込み処理部１２において、電子透かしが埋め込まれたコンテンツは、透かし追加済コンテンツとしてユーザ端末装置１００に送られる。
【００５２】
ステップ１１３）  透かし追加済コンテンツを受け取ったユーザ端末装置１００は、コンテンツ再生部１２０において、図１３に示すように、透かし追加済コンテンツの再生を行い、ディスプレイやスピーカなどの外部出力装置に出力を行う。この際、例えば、図１４のように、再生画面と同期してコンテンツに関連付けられたサービス情報を、コンテンツ鑑賞の妨げにならない程度に表示する。また、別の例では、利用者からの特別な指示がなければ、関連サービス情報の表示をしないようにしたり、あるいは、テレビのＣＭと同じように、１５分のコンテンツ再生毎に１分の関連サービス情報の表示を挿入するなどしてもよい。
【００５３】
ステップ１１４）  利用者がユーザ端末装置１００に対し、再生中のコンテンツに関連付けられたサービスの利用を行う指示が明示的あるいは非明示的に行った場合、ユーザ端末装置１００内のサービス利用部１１０において、図１５のように、当該サービスに対するサービス情報を元に、当該サービスを提供するサービス提供装置３００に接続する。これにより、利用者はサービスを享受することができる。例えば、ゴルフプレーの映像コンテンツに関連付けられた「ゴルフクラブ販売」のサービスを利用しようと、利用者がユーザ端末装置１００に指示をすると、「ゴルフクラブ販売」のＷＷＷサイトに接続し、電子商取引によってゴルフクラブを購入することができる。
【００５４】
上記のように、本実施の形態によれば、コンテンツに対し、仲介サーバ装置２００に予め登録されている関連サービス情報だけでなく、コンテンツ利用者が新たにサービス情報を関連付けることができる。
【００５５】
また、新たに仲介サーバ装置２００に登録されているサービス情報へのリンク情報であるコンテンツＩＤと、利用者によって新たに関連付けられたサービス情報は、電子透かし技術を用いてコンテンツと結び付けられており、コンテンツの編集加工や再符号化、印刷などのアナログ出力を行っても、関連サービスを取得することができる。
【００５６】
また、利用者側で、コンテンツに関連付けられたサービス情報を取得するための電子透かしの検出を行う際、及び、新たにサービス情報をコンテンツに対して関連付けるために電子透かしを行う際には、耐タンパなＩＣカード装置１０内で処理を行うため、処理途中のデータの剽窃や処理方法の解析が困難であり、サービスへの関連付けの消去、改竄といった攻撃に対するセキュリティを実現している。
【００５７】
また、利用者が新たにサービス情報を関連付けたコンテンツを、さらに別の利用者に渡す、といったコンテンツの転々流通を考えると、コンテンツを受け取った利用者は、自分より前にコンテンツを利用した利用者が関連付けたサービス情報を取得できる。これにより、例えば、図１６のようにゴルフ好きな人たちのコミュニティでコンテンツが流通すると、コンテンツに対し、ゴルフに関連したサービスへの関連付けが自然に増えてくる。また、同一コンテンツでも、図１７のように、おいしい物好きの人たちのコミュニティで流通する場合には、おいしい料理に関するサービスへの関連付けが自然に増えてくる。即ち、コンテンツの流通経路によって関連付けられるサービスが変化し、例えば、同じような趣味の友人からコンテンツを受け取った場合、自分にとっても有益な関連サービス情報が取得できる可能性が高い。これにより、利用者が自分の嗜好情報を明らかにして嗜好にあったサービス情報の提供をしてもらうのではなく、自分の知人からの推薦といった形で関連サービス情報を取得できる。
【００５８】
また、第三者である仲介サーバ装置２００ではなく、自分の知人からの推薦としてサービス情報を取得した場合、実際にサービスを利用しようとする意欲が向上する可能性が高くなり、有効な広告効果を期待できる。
【００５９】
［第２の実施の形態］
本実施の形態では、ユーザ端末装置内にあるサービスブックマークＤＢをＩＣカード装置内に設けた例を示す。
【００６０】
本実施の形態では、以下に説明する点を除いては、前述の第１の実施の形態と同様である。
【００６１】
図１８は、本発明の第２の実施の形態におけるサービス仲介システムの構成を示す。同図において、図３の構成と同一部分には同一符号を付す。
【００６２】
サービス仲介システムは、ネットワーク上に接続されたユーザ端末装置１００、仲介サーバ装置２００、サービス提供装置３００から構成される。
【００６３】
仲介サーバ装置２００は、サービス情報ＤＢ２１０を有する。
【００６４】
ユーザ端末装置１００には、耐タンパな装置であるＩＣカード装置１０が接続されている。
【００６５】
ユーザ端末装置１００は、サービス利用部１１０、コンテンツ再生部１２０を有する。
【００６６】
ＩＣカード装置１０は、サービスブックマークＤＢ１３、電子透かし検出部１１、電子透かし埋め込み処理部１２、追加情報選定部１４を有する。
【００６７】
図１９は、本発明の第２の実施の形態におけるサービス仲介システムの処理のシーケンスチャートである。以下の処理以外は、前述の第１の実施の形態の処理と同様であるので、その説明は省略する。
【００６８】
ステップ１０８’）  仲介サーバ装置２００からサービス情報群を受け取ったユーザ端末装置１００は、ユーザ端末装置１００内のサービス利用部１１０において、図９のようにサービス情報群を保持し、さらに、サービス情報群をＩＣカード装置１０内の追加情報選定部１４に送る。
【００６９】
ステップ１０９’）サービス情報群を受け取ったＩＣカード装置１０内の追加情報選定部１４では、図１０に示すように、サービス情報群の要素である個々のサービス情報について、ＩＣカード装置１０内のサービスブックマークＤＢ１３内のサービス情報の中で、カテゴリが一致、あるいは、近いと評価できるサービス情報を検索する。ここで、カテゴリとは、サービス情報の意味種別であり、例えば、サービス情報の中のサービス内容の値を元に形成される情報であり、目的に応じた評価関数を用いて決定される。
【００７０】
図１１に示す例では、サービス内容の値「ゴルフプレイ」と「ゴルフクラブ販売」は、部分文字列が一致するためカテゴリが近い、と評価できる。追加情報選定部１４では、このようなカテゴリ検索作業を、入力のサービス情報群の要素である個々のサービス情報について行い、検索によって出力されたサービス情報群を、必要があれば、１つなど少数に絞り込んで出力する。この際に、出力のサービス情報のサービスＩＤと、入力のサービス群の各サービスＩＤに一致するものがあれば、それを省くなどの処理を行ってもよい。また、サービスブックマーク中のどのサービス情報を選択するかという処理を、上記のように自動化せず、利用さによる直接の指定で行ってもよい。
【００７１】
なお、サービスブックマークＤＢ１３とは、本実施の形態のシステムと別系統のシステム、例えば、ＷＷＷブラウザなどによるブラウジング時に、ユーザが「お気に入り」としてユーザ端末装置１００内に登録したサービス情報を蓄えるＤＢである。
【００７２】
ステップ１１０’）  追加情報選定部１４で選定されたサービス情報を、ＩＣカード装置１０内の電子透かし埋め込み処理部１２に送る。
【００７３】
ステップ１１１’）  電子透かしの埋め込み要求を受けたＩＣカード装置内の電子透かし埋め込み処理部１２は、図１２のように、ステップ１０３で取得したコンテンツデータに対し、埋め込み要求時に受け取ったサービス情報を電子透かし技術を用いて埋め込む。この際、サービス情報全体を埋め込むのではなく、サービスＩＤのみを埋め込むようにしてもよい。
【００７４】
上記のように、第２の実施の形態によれば、前述の第１の実施の形態に加え、図２０に示すようにユーザ端末装置１００内にあるサービスブックマークＤＢ１３０をＩＣカード装置１０内に配置変更することで、任意の端末にＩＣカードを接続すれば、自分専用の端末として操作できる効果も得られる。また、個人の嗜好情報であるサービスブックマークＤＢをＩＣカード装置１０内に保持していることにより、プライバシ保護も実現できる。
【００７５】
また、上記の第１の実施の形態及び第２の実施の形態のユーザ端末装置及びＩＣカード装置における動作をプログラムとして構築し、ユーザ端末装置及びＩＣカード装置内のＣＰＵにインストールすることも可能である。
【００７６】
また、構築されたプログラムを、ユーザ端末装置に接続されるハードディスクや、フレキシブルディスク、ＣＤ−ＲＯＭ等の可搬記憶媒体、または、ＩＣカード装置用のＩＣカードに格納することも可能である。
【００７７】
なお、本発明は、上記の実施の形態に限定されることなく、特許請求の範囲内において、種々変更・応用が可能である。
【００７８】
【発明の効果】
上述のように、本発明によれば、コンテンツには、サービス仲介サーバに登録されている関連サービス情報とユーザ端末内で新たに関連付けされるサービス情報の２種類のサービス情報と関連付けされる。これによって、仲介サーバに登録されていないサービス情報も提供することができる。
【００７９】
また、ユーザ端末内で関連付けされるサービス情報は、当該ユーザ端末内のサービスブックマークＤＢ中のサービス情報から選ばれる。サービスブックマーク情報は、当該ユーザ端末を用いる利用者の嗜好を反映したものであるから、ユーザ端末内で関連付けされるサービス情報は、当該ユーザ端末の利用者の嗜好を反映したものとなる。そして新たにサービス情報が関連付けされたコンテンツが利用者間で転々と流通すると、流通経路（過去にどういった利用者の手に渡ったか）に依存して関連付けされるサービス情報が異なってくる。同じような嗜好を持つ利用者コミュニティで流通するコンテンツには、そのコミュニティの利用者の嗜好を反映したサービス情報が関連付けされる。
【００８０】
さらに、コンテンツへのサービス情報の付加の方法として、電子透かし技術を用いることで、コンテンツのフォーマット変換、編集加工、印刷出力などのアナログ出力を施された場合でも、コンテンツから関連サービス情報を取得することができる。この場合、電子透かし埋め込み機能と検出機能を耐タンパな装置内に実装することで、システムのセキュリティ（関連付けされたサービス情報の削除、改竄など）を実現することができる。
【図面の簡単な説明】
【図１】本発明の原理を説明するための図である。
【図２】本発明の原理構成図である。
【図３】本発明の第１の実施の形態におけるサービス仲介システムの構成図である。
【図４】本発明の第１の実施の形態におけるサービス仲介システムの処理のシーケンスチャートである。
【図５】本発明の第１の実施の形態におけるサービス情報ＤＢのデータ例である。
【図６】本発明の第１の実施の形態におけるＩＣカード装置の電子透かし検出処理部の処理を示す図である。
【図７】本発明の第１の実施の形態におけるユーザ端末装置のサービス利用部の処理を示す図である。
【図８】本発明の第１の実施の形態における仲介サーバ装置の処理を示す図である。
【図９】本発明の第１の実施の形態におけるユーザ端末装置のサービス利用部の処理を示す図（サービス情報群受信時）である。
【図１０】本発明の第１の実施の形態における追加情報選定部の処理を示す図である。
【図１１】本発明の第１の実施の形態におけるユーザ端末装置内の追加情報選定部での追加情報の例である。
【図１２】本発明の第１の実施の形態における電子透かし埋め込み処理部の処理を示す図である。
【図１３】本発明の第１の実施の形態におけるユーザ端末装置のコンテンツ再生部の処理を示す図である。
【図１４】本発明の第１の実施の形態におけるユーザ端末相のコンテンツ再生処理中の表示画面の例である。
【図１５】本発明の第１の実施の形態におけるユーザ端末装置のサース利用部の処理を示す図（サービス利用時）である。
【図１６】本発明の効果を説明するための図（その１）である。
【図１７】本発明の効果を説明するための図（その２）である。
【図１８】本発明の第２の実施の形態におけるサービス仲介システムの構成図である。
【図１９】本発明の第２の実施の形態におけるサービス仲介システムの処理のシーケンスチャートである。
【図２０】本発明の第２の実施の形態の効果を説明するための図である。
【符号の説明】
１０  ＩＣカード装置
１１  電子透かし検出処理部
１２  電子透かし埋め込み処理部
１３  サービスブックマークデータベース（ＤＢ）
１４  追加情報選定部
１００  ユーザ端末装置
１１０  サービス利用部
１１１  サービオス情報取得要求手段
１２０  コンテンツ再生部
１３０  サービスブックマークデータベース（ＤＢ）
１４０  サービス情報選択手段、追加情報選定部
１５０  コンテンツ出力手段
１６０  サービス情報出力手段
１７０  サービス提供手段
２００  仲介サーバ装置
２１０  サービス情報データベース（ＤＢ）
２２０  サービス情報送信手段
３００  サービス提供装置
【図１】
2004171137.tif 000003
【図２】
2004171137.tif 000004
【図３】
2004171137.tif 000005
【図４】
2004171137.tif 000006
【図５】
2004171137.tif 000007
【図６】
2004171137.tif 000008
【図７】
2004171137.tif 000009
【図８】
2004171137.tif 000010
【図９】
2004171137.tif 000011
【図１０】
2004171137.tif 000012
【図１１】
2004171137.tif 000013
【図１２】
2004171137.tif 000014
【図１３】
2004171137.tif 000015
【図１４】
2004171137.tif 000016
【図１５】
2004171137.tif 000017
【図１６】
2004171137.tif 000018
【図１７】
2004171137.tif 000019
【図１８】
2004171137.tif 000020
【図１９】
2004171137.tif 000021
【図２０】
2004171137.tif 000022